(57)【要約】      （修正有）【課題】複数種類の幅寸法の粘着テープ巻装体に容易に適合させることができ、製造コストを低減することができる粘着テープカッターを提供する。【解決手段】バルカナイズドファイバー又はプラスチックにより形成され、全体略方形板状に形成されたテープカッター本体部１２と、テープカッター本体部の辺縁部に形成された刃部１３と、異なった幅寸法の複数の粘着テープ巻装体に適合させて装着しうる装着部１１とを備え、装着部は、テープカッター本体部に形成されると共に、テープカッター本体部内方に設けられた複数のスリット１４ａ〜１４ｄにより画成される部位を折曲して形成されている。【選択図】図１
0003185346.tif 000002
【実用新案登録請求の範囲】
【請求項１】
バルカナイズドファイバー又はプラスチックにより形成され、粘着テープ巻装体に装着される粘着テープカッターであって、異なった幅寸法の複数の粘着テープ巻装体に適合させて装着しうる装着部を有することを特徴とする粘着テープカッター。
【請求項２】
バルカナイズドファイバーにより形成され、粘着テープ巻装体に装着される粘着テープカッターであって、異なった幅寸法の複数の粘着テープ巻装体に適合させて装着しうる装着部を有することを特徴とする粘着テープカッター。
【請求項３】
全体略方形板状に形成されたテープカッター本体部と、上記テープカッター本体部の辺縁部に形成された刃部とを備え、上記装着部は上記テープカッター本体部に形成されていることを特徴とする請求項１又は２のいずれか１項に記載の粘着テープカッター。
【請求項４】
上記装着部は、テープカッター本体部内方に設けられた複数のスリットにより画成される部位を折曲して形成されることを特徴とする請求項３記載の粘着テープカッター。
【請求項５】
上記テープカッター本体部は平面略方形状に形成され、刃部辺部と、上記刃部辺部に隣接する一対の辺部と、上記刃部辺部に対向する対向辺部とを有し、
上記複数のスリットは、上記刃部辺部に直交すると共に上記一対の辺部の内方に設けられ、互いに所定間隔を置いて形成された一対の第一のスリットと、上記第一のスリットの反刃部側端部の間に形成された第二のスリットと、上記第二のスリットの中間部から上記対向辺部に至る第三のスリットとを有することを特徴とする請求項４記載の粘着テープカッター。
【請求項６】
上記一対の第一のスリットの中間部には、夫々、第一のスリットから内方へ延びる第四のスリットが形成されていることを特徴とする請求項５記載の粘着テープカッター。
【請求項７】
上記第二のスリットには、中間部には上記刃部に向かって突出する折曲部が形成されていると共に、上記第三のスリットは、上記折曲部と対向辺部との間に形成されていることを特徴とする請求項５記載の粘着テープカッター。
【請求項８】
上記第四のスリットは、上記第一のスリットに対して直交して形成されていることを特徴とする請求項６記載の粘着テープカッター。
【請求項９】
上記第一のスリットの間隔寸法は、最も大径の幅寸法の粘着テープの幅寸法と略同一に形成されていると共に、第四のスリットの間隔寸法は、最も小径の幅寸法の粘着テープの幅寸法と略同一に形成されていることを特徴とする請求項６記載の粘着テープカッター。
【請求項１０】
上記刃部は、上記テープカッター本体部の縁部両端部よりも内方に形成されていると共に、刃部の両端部には、上記刃部の刃の先端部よりも外方へ突出する膨出部が形成されていることを特徴とする請求項１又は２のいずれか１項に記載の粘着テープカッター。
【考案の詳細な説明】
【技術分野】
【０００１】
本考案は、粘着テープカッターの改良に関する。
【背景技術】
【０００２】
一般に、セロハンテープ等の粘着テープは巻き芯に巻装されて略リング状の粘着テープ巻装体として使用されているが、このような粘着テープ巻装体には粘着テープカッターが取り付けられている。また、粘着テープには、複数種類の幅寸法のもの（例えば、幅１２ｍｍ、１５ｍｍ、１８ｍｍ、２４ｍｍ等）が存在する。
【０００３】
このような粘着テープカッターにあっては、金属製の場合には、使用者の指を傷つける可能性もあり、また、廃棄する場合に分別する必要があり煩雑である等の事情から従来より、いわゆるハードファイバー又はバルカナイズドファイバーを利用した粘着テープカッターが使用されている（特許文献１及び特許文献２）。
【０００４】
しかしながら、上記特許文献１に開示された粘着テープカッターにあっては、幅寸法の調整は不可能であったことから、上記複数種類の幅寸法の粘着テープのためには複数種類の粘着テープカッターを作製しなければならず、複数種類の製造型が必要となり、製造コストが嵩む、という不具合があった。
【０００５】
また、上記特許文献２に開示された粘着テープカッターにあっては、細長板状に形成された本体の一端部に形成された挿入止部を挿入穴に挿通させて凸部を係止することにより幅寸法の調整は可能であるが、バルカナイズドファイバーは高い剛性を有することから、上記挿入止部を挿入穴に挿通させて長さ調節を行うことが非常に煩雑である、という不具合が存していた。
【特許文献１】実開平７−２４５８９号公報
【特許文献２】特開平７−２４６５８９号公報
【考案の開示】
【考案が解決しようとする課題】
【０００６】
本考案はこのような従来からの不具合を解決するためのものであって、その課題は、バルカナイズドファイバー等を使用した、複数種類の幅寸法の粘着テープ巻装体に容易に適合させることができ、製造コストを低減することができる粘着テープカッターを提供することにある。
【課題を解決するための手段】
【０００７】
上記課題達成のため請求項１記載の考案にあっては、バルカナイズドファイバー又はプラスチックにより形成され、粘着テープ巻装体に装着される粘着テープカッターであって、異なった幅寸法の複数の粘着テープ巻装体に適合させて装着しうる装着部を有することを特徴とする。
ここで、「プラスチック」としては、例えば、ポリプロピレン、ポリエステル、ナイロン、ポリ塩化ビニル等が該当する。
従って、請求項１記載の考案にあっては、バルカナイズドファイバー又はプラスチックにより形成され、異なった幅寸法の複数の粘着テープ巻装体に対して単一の粘着テープカッターを適用して使用することができる。
請求項２記載の考案に係る考案にあっては、バルカナイズドファイバーにより形成され、粘着テープ巻装体に装着される粘着テープカッターであって、異なった幅寸法の複数の粘着テープ巻装体に夫々適合させて装着しうる装着部を有することを特徴とする。
従って、請求項２記載の考案にあっては、バルカナイズドファイバーにより形成され、異なった幅寸法の複数の粘着テープ巻装体に対して単一の粘着テープカッターを適用して使用することができる。
【０００８】
請求項３記載の考案にあっては、全体略方形板状に形成されたテープカッター本体部と、テープカッター本体部の辺縁部に形成された刃部とを備え、上記装着部は上記テープカッター本体部に形成されていることを特徴とする。
従って、請求項３記載の考案にあっては、製造する際には、バルカナイズドファイバーの基板を打ち抜くことにより刃部及びテープカッター本体部を形成することができ、テープカッター本体部に形成された装着部により粘着テープ巻装体に装着することができる。
【０００９】
請求項４記載の考案にあっては、上記装着部は、テープカッター本体部内方に設けられた複数のスリットにより画成される部位を折曲して形成されることを特徴とする。
従って、請求項４記載の考案にあっては、バルカナイズドファイバーの基板を打ち抜くことにより形成したテープカッター本体部に複数のスリットを形成し、複数のスリットにより画成される部位を折り曲げ起こすことにより上記装着部を形成することができる。
【００１０】
請求項５記載の考案にあっては、上記テープカッター本体部は平面略方形状に形成され、刃部辺部と、上記刃部辺部に隣接する一対の辺部と、上記刃部辺部に対向する対向辺部とを有し、上記複数のスリットは、上記刃部辺部に直交すると共に上記一対の辺部の内方に設けられ、互いに所定間隔を置いて形成された一対の第一のスリットと、上記第一のスリットの反刃部側端部の間に形成された第二のスリットとを有し、上記第二のスリットの中間部から上記対向辺部に至る第三のスリットが形成されていることを特徴とする。
【００１１】
従って、請求項５記載の考案にあっては、上記一対の第一のスリットと上記第二のスリットとにより画成される部位を折り曲げ起こすことにより、粘着テープ巻装体の収納空隙部を形成することができる。
また、上記第一のスリット、第二のスリット及び上記第三のスリットにより画成される部位により粘着テープ巻装体の保持部を形成することができる。
【００１２】
請求項６記載の考案にあっては、上記一対の第一のスリットの中間部には、夫々、第一のスリットから内方へ延びる第四のスリットが形成されていることを特徴とする。
従って、請求項６記載の考案にあっては、上記一対の第一のスリット、第二のスリット及び第四のスリットにより画成される部位により粘着テープ巻装体の把持部を形成することができる。
【００１３】
請求項７記載の考案にあっては、上記第二のスリットは、中間部には上記刃部に向かって突出する折曲部が形成されていると共に、上記第三のスリットは、上記折曲部と対向辺部との間に形成されていることを特徴とする。
従って、請求項７記載の考案にあっては、上記粘着テープ巻装体の把持部は先端に凹部を有するように形成されると共に、上記粘着テープ巻装体の保持部は先端部の幅寸法が大きく形成される。
【００１４】
請求項８記載の考案にあっては、上記第四のスリットは、上記第一のスリットに対して直交して形成されていることを特徴とする。
【００１５】
請求項９記載の考案にあっては、上記第一のスリットの間隔寸法は、最も大径の幅寸法の粘着テープの幅寸法と略同一に形成されていると共に、第四のスリットの間隔寸法は、最も小径の幅寸法の粘着テープの幅寸法と略同一に形成されていることを特徴とする。
【００１６】
請求項１０記載の考案にあっては、上記刃部は、上記テープカッター本体部の縁部両端部よりも内方に形成されていると共に、刃部の両端部には、上記刃部の刃の先端部よりも外方へ突出する膨出部が形成されていることを特徴とする。
【考案の効果】
【００１７】
請求項１〜１０記載の考案にあっては、異なった幅寸法の複数の粘着テープ巻装体に対して単一の粘着テープカッターを適用することができることから、複数種類の幅寸法の粘着テープ巻装体に合わせて複数種類の粘着テープカッターを作成する必要がなく、複数種類の粘着テープカッターを製作するために必要な複数種類の製造型が不要となることから、製造コストを低減することができる。
【００１８】
また、従来の金属製の粘着テープカッターとは異なり、バルカナイズドファイバー又はプラスチックを素材として使用していることから、刃部も粘着テープは充分に切断でき、仮に、指が触れた場合であっても、即、皮膚が切れてしまうほどの尖鋭性はないことから安全であり、子供を含め、年齢に関わらず安心して使用することができる。
また、一般に、広くコンビニエンスショップで販売されている内径１インチの小型の粘着テープ巻装体であっても装着することができ、従来、金属製の粘着テープカッターが添付されていたが、本考案に係る粘着テープカッターにより製造コストを低減して提供することができ、かつ、使用者は安全に使用することができる。
【００１９】
また、紙製のマスキングテープであっても、本考案に係るバルカナイズドファイバー又はプラスチックにより形成された刃部であれば切断することができるため、広く、マスキングテープ用の粘着テープカッターとして使用することができ、安全であってかつ、金属製の粘着テープカッターに比して製造コストを低減することができる。
【００２０】
また、請求項１記載の考案にあっては、本考案に係る粘着テープカッターの素材としてプラスチックを含むことから、バルカナイズドファイバーのみならず、広く、様々なプラスチック素材を利用して、型成型によりテープ粘着テープカッターを容易かつ迅速に作成することができる。
請求項２記載の考案にあっては、製造する際には、バルカナイズドファイバーの基板を打ち抜くことにより刃部及びテープカッター本体部を形成することができ、テープカッター本体部に形成された装着部により粘着テープ巻装体に装着することができることから、容易に製造することができる粘着テープ巻装体を提供することができる。
【００２１】
請求項３〜８記載の考案にあっては、バルカナイズドファイバーの基板を厚さ方向に切り抜いてスリットを形成し、上記スリットにより画成される部位を折曲して装着部の一般面上に起こすことにより、容易に粘着テープ巻装体の収納空隙部、保持部及び把持部を形成することができ、使用者が迅速に粘着テープ巻装体に装着することができる粘着テープカッターを提供することができる。
【００２２】
請求項９記載の考案にあっては、上記第一のスリットの間隔寸法は、最も大径の幅寸法の粘着テープの幅寸法と略同一に形成されていると共に、第四のスリットの間隔寸法は、最も小径の幅寸法の粘着テープの幅寸法と略同一に形成されていることから、上記第一のスリット、第二のスリット及び第三のスリットにより画成される部位を折り曲げて保持部を形成した場合には、上記保持部により最大幅の幅寸法の粘着テープ巻装体に保持させた状態で装着できる。
さらに、粘着テープ巻装体の幅寸法に合わせて把持部を適宜の幅寸法に折曲することにより、より細幅の幅寸法の粘着テープ巻装体に合わせた把持部を容易に形成することができる。
その結果、粘着テープ巻装体の幅寸法に関わらず、確実に固定して使用することができる粘着テープカッターを提供することができる。
【００２３】
請求項１０記載の考案にあっては、上記刃部は、上記テープカッター本体部の縁部両端部よりも内方に形成されていると共に、刃部の両端部には、上記刃部の刃の先端部よりも外方へ突出する膨出部が形成されていることから、使用者の指が刃部に直接触れにくく、より安全性を向上させた粘着テープカッターを提供することができる。
【図面の簡単な説明】
【００２４】
【図１】本考案に係る粘着テープカッターの一実施の形態を示す平面図である。
【図２】本考案に係る粘着テープカッターの刃部及び刃部辺部の端部の形状を示す部分平面図である。
【図３】本考案に係る粘着テープカッターの粘着テープ巻装体への装着状態を示し、テープ幅が最大幅寸法の粘着テープ巻装体へ装着した状態を示す斜視図である。
【図４】本考案に係る粘着テープカッターの粘着テープ巻装体への装着状態を示し、テープ幅が最大幅寸法の粘着テープ巻装体へ装着した状態を示す平面図である。
【図５】本考案に係る粘着テープカッターの粘着テープ巻装体への装着状態を示し、テープ幅がより細径の粘着テープ巻装体へ装着した状態を示す平面図である。
【図６】本考案に係る粘着テープカッターを粘着テープ巻装体へ装着し、粘着テープの非粘着面側から切断する状態を示す側面図である。
【図７】本考案に係る粘着テープカッターを粘着テープ巻装体へ装着し、粘着テープの非粘着面側から切断する状態を示す平面図である。
【図８】本考案に係る粘着テープカッターを粘着テープ巻装体へ装着し、粘着テープの粘着面側から切断する状態を示す側面図である。
【図９】本考案に係る粘着テープカッターを粘着テープ巻装体へ装着し、粘着テープの粘着面側から切断する状態を示す平面図である。
【考案を実施するための最良の形態】
【００２５】
以下、添付図面に示す実施の形態に基づき、本考案を詳細に説明する。
図１に示すように、本実施の形態に係る粘着テープカッター１０は、バルカナイズドファイバーにより形成され、粘着テープ巻装体に装着され、異なった幅寸法の複数の粘着テープ巻装体に適合させて装着しうる装着部１１を有している。
【００２６】
本実施の形態にあっては、上記テープカッター本体部１２は全体略正方形板状に形成され、上記テープカッター本体部１２の辺縁部に形成された刃部１３を備えており、上記装着部１１は上記テープカッター本体部１２に形成されている。
【００２７】
上記装着部１１は、テープカッター本体部１２内方に設けられた複数のスリット１４により画成される部位を折曲して形成されている。
テープカッター本体部１２は平面略方形状に形成され、刃部辺部１５と、上記刃部辺部１５に隣接する一対の辺部１６、１７と、上記刃部辺部１５に対向する対向辺部１８とを有している。
【００２８】
上記複数のスリット１４は、上記刃部辺部１５に直交すると共に上記一対の辺部１６、１７の内方に設けられ、互いに所定間隔を置いて形成された一対の第一のスリット１４ａ、１４ａと、上記第一のスリット１４ａ、１４ａの反刃部側端部の間に形成された第二のスリット１４ｂと、上記第二のスリット１４ｂの中間部から上記対向辺部１８に至る第三のスリット１４Ｃとを有している。
【００２９】
上記第一のスリット１４ａ、１４ａと第二のスリット１４ｂとは、互いに直交し、全体として刃部１３側へ向かって配置された略コ字状に形成されている。
上記第二のスリット１４ｂには、中間部に上記刃部１３に向かって突出する折曲部１９が形成されている。即ち、第二のスリット１４ｂは、両端部においては第一のスリット１４ａ、１４ａに直交するように接合されているが、中間部においては、折曲部１９が形成され、全体として屈折して形成され、折曲部１９の中間部には頂点部２０が形成されている。
【００３０】
上記第三のスリット１４Ｃは、上記折曲部１９の頂点部２０と対向辺部１８との間に、対向辺部１８に対して直交して形成されている。
上記一対の第一のスリット１４ａ、１４ａの中間部には、夫々、第一のスリット１４ａ、１４ａから内方へ直交して所定間隔分延びる二本の第四のスリット１４ｄ、１４ｄが形成されている。
【００３１】
その結果、第一のスリット１４ａ、１４ａ及び第二のスリット１４ｂとの内方に画成される部位Ａをテープカッター本体部１２の一般面２１上方へ指で折曲して起こすことにより形成される空隙により平面方形状の粘着テープ巻装体２２の収納空隙を形成することができる。
【００３２】
また、第二のスリット１４ｂ及び第三のスリット１４Ｃにより画成される部位により、粘着テープ巻装体２２へ装着した場合に、粘着テープ巻装体２２内において粘着テープ巻装体２２に係止する一対の保持部２３、２３が形成される。
また、上記一対の第一スリット１４ａ、１４ａ及び第四のスリット１４ｄ、１４ｄとにより形成される部位Ｂにより粘着テープ巻装体２２へ装着した際の載置部２４が形成される。さらに、上記一対の第一のスリット１４ａ、１４ａ、第二のスリット１４ｂ及び第四のスリット１４ｄ、１４ｄにより画成される部位Ｃにより粘着テープ巻装体２２の装着した場合の把持部２５が形成される。
【００３３】
本実施の形態にあっては、上記一対の第一のスリット１４ａ、１４ａの間隔寸法Ｌは２５ｍｍであって、最大幅の粘着テープ巻装体の幅寸法（２４ｍｍ）と略同一に形成されている。また、上記第四のスリット１４ｄ、１４ｅの間の間隔寸法Ｌ１は、１４ｍｍであって、最少幅の粘着テープ巻装体２２の幅寸法１２ｍｍよりも僅かに大きく形成されている。また、刃部１３の長さ寸法は２６ｍｍに形成され、同様に最大幅の粘着テープ巻装体の幅寸法（２４ｍｍ）よりも僅かに大きく形成されている。
【００３４】
上記刃部１３は、上記テープカッター本体部１２の縁部両端部２６、２６よりも内方に形成されていると共に、図１及び図２に示すように、刃部１３の両端部には、上記刃部１３の刃の先端部よりも外方へ突出する膨出部２７，２７が形成されている。
【００３５】
以下、本実施の形態に係る粘着テープカッター１０の使用方法について説明する。
本実施の形態に係る粘着テープカッター１０を粘着テープ巻装体２２に装着する場合には、先ず、第一のスリット１４ａ、１４ａ及び第二のスリット１４ｂにより画成される部位Ａをテープカッター本体部の一般面２１の上方へ折り曲げる。
【００３６】
同時に、第一のスリット１４ａ、１４ａと辺部１６、１７との間に形成される部位２８、２９を第一のスリット部１４ａ、１４ａの先端部３０においてテープカッター本体部の一般面２１の下方へ折り曲げる。この場合の折り曲げ角度は、粘着テープ巻装体２２の厚さ寸法によるが、本実施の形態にあっては略直角に折り曲げている。
これにより、図１、図３及び図４に示すように、粘着テープ巻装体２２に装着するにあたって、粘着テープ巻装体２２を内部に収納する収納空隙が形成され、また、保持部２３、２３が形成される。  
【００３７】
上記保持部２３、２３は、第三のスリット１４ｂにより分割されていることから、保持部２３，２３の先端部を厚さ方向にずらすことにより、保持部２３、２３の間に空隙を形成し、粘着テープ巻装体２２の厚さ方向側面部から粘着テープカッター１０を滑り込ませ、粘着テープカッター１０の上記収納空隙内に粘着テープ巻装体２２を配置させるようにして、粘着テープカッター１０を粘着テープ巻装体２２に装着する。
この場合、第一のスリット１４ａ、１４ａ及び第四のスリット１４ｄ、１４ｄにより画成される全体略長方形状の部位Ｂは、粘着テープ巻装体２２の表面部上に配置される載置部２４として機能する。
【００３８】
従って、粘着テープ巻装体２２に粘着テープカッター１０が装着された場合には、図３に示すように、粘着テープ本体３１上に載置部２４が当接すると共に、粘着テープ本体３１の裏面側には保持部２３、２３が係止し、刃部１３は粘着テープ本体３１上において粘着テープ本体３１の周面部３３に沿って、粘着テープ３２の長さ方向に直交して配置されることから、この状態で粘着テープ３２を剥がして刃部１３に圧接させて捻り切ることにより、粘着テープ３２を所望の長さ寸法に切断することができる。
【００３９】
この場合、第二のスリット１４ｂは、中間部において折曲部１９が形成され、全体として屈折して形成され折曲部１９の中間部には頂点部２０が形成されており、中間部において第三のスリット１４ｃが対向辺部１８との間に形成されていることから、一対の保持部２３、２３は対向端部２３ａ、２３ａの幅寸法が大きく形成されており、保持部２３、２３は粘着テープ本体３１の裏面側において粘着テープ本体３１に当接しやすい形状となっている。
その結果、この保持部２３、２３の形状により粘着テープカッター１０は確実に粘着テープ巻装体２２に保持させることができる。
【００４０】
また、図１及び図２に示すように、刃部１３の両端部には、上記刃部１３の刃の先端部よりも外方へ突出する膨出部２７，２７が形成されていることから、刃部１３がテープカッター本体部１２の内方に配置されていると共に、上記膨出部２７、２７の存在により、使用者の指は刃部１３に直接に触れにくく、より安全なテープの切断作業を行うことができる。
【００４１】
図３及び図４は、最大幅寸法（２４ｍｍ）の粘着テープ巻装体２２ａに装着する場合を示している。
一方、より細径の粘着テープ巻装体２２ｂに装着する場合には、図５に示すように、適宜、粘着テープ巻装体２２ｂの幅寸法に合わせて、第一のスリット１４ａ、第二のスリット１４ｂ及び第四のスリット１４ｄにより画成される部位Ｃにより形成される把持部２５の図中左右方向両端部を適宜の長さに下方へ折り曲げ、一対の把持片部２５ａ、２５ａを形成する。
【００４２】
従って、第一のスリット１４ａ、１４ａの間の間隔寸法Ｌは最大幅（２４ｍｍ）の粘着テープ巻装体２２ａに合わせて設定されているが、より細幅の粘着テープ巻装体２２ｂに装着する場合には、適宜、幅寸法に合わせた把持片部２５ａ、２５ａを形成し、当該把持片部２５ａ、２５ａが粘着テープ巻装体２２ａの粘着テープ本体３１の両側部において粘着テープ本体３１を把持する。
【００４３】
その結果、粘着テープ巻装体２２ｂが細幅の場合であっても、粘着テープ巻装体２２ｂに確実に固定されることから、粘着テープ３２の切断作業に差し支えることはない。
また、図６、図７、図８及び図９に示すように、本実施の形態に係る粘着テープカッター１０にあっては、粘着テープ３２の粘着面３２ａ（裏面）及び非粘着面３２ｂ（表面）のいずれであっても刃部１３に圧接することにより切断することができる。
【００４４】
切断にあたっては、図６及び図８中に矢印で示すように、まず、指で載置部２４を押さえて、粘着テープカッター１０を粘着テープ巻装体２２に固定し、図７及び図９に示すように、所定の長さ寸法に引き出した粘着テープ３２を刃部１６に圧接させて状態で捻じることにより切断する。
この場合、図８及び図９に示すように、粘着テープ３２の粘着面３２ａ側を刃部１３に圧接させて切断する場合には、粘着面３２ａが刃部１３に接着することから、次回の利用の際に、粘着テープ３２の先端部を確認しやすい。
なお、本実施の形態にあっては、テープカッター本体部１２が平面略方形状に形成された場合を例に説明したが、上記実施の形態に限定されない。
また、上記実施の形態にあっては、本考案に係る粘着テープカッターをバルカナイズドファイバーにより形成した場合を例に説明したが、上記実施の形態に限定されず、プラスチックにより形成してもよい。
プラスチックとしては、例えば、ポリプロピレン、ポリエステル、ナイロン、ポリ塩化ビニル等が該当する。プラスチックによりテープ粘着テープカッターを形成した場合には、型成型により、容易かつ迅速にテープ粘着テープカッターを作成することができる。
【産業上の利用可能性】
【００４５】
本考案に係る粘着テープカッターは広く、粘着テープ巻装体に装着して粘着テープの切断に使用することができるため、産業上の利用可能性を有している。
【符号の説明】
【００４６】
１０  粘着テープカッター
１１  装着部
１２  テープカッター本体部
１３  刃部
１４  スリット
１４ａ  第一のスリット
１４ｂ  第二のスリット
１４ｃ  第三のスリット
１４ｄ  第四のスリット
１５  刃部辺部
１６  辺部
１７  辺部
１８  対向辺部
１９  折曲部
２０  頂点部
２１  テープカッター本体部の一般面
２２  粘着テープ巻装体
２２ａ  最大幅の粘着テープ
２２ｂ  細幅の粘着テープ
２３  保持部
２３ａ  対向端部
２４  載置部
２５  把持部 
２５ａ  把持片部
２６  縁部両端部
２７  膨出部
２８  部位
２９  部位
３０  先端部
３１  粘着テープ本体
３２  粘着テープ
３２ａ  粘着面
３２ｂ  非粘着面
３３  周面部
Ａ  第一のスリット及び第二のスリットの内方に画成される部位
Ｂ  第一のスリット及び第四のスリットにより画成される部位
Ｃ  第一のスリット、第二のスリット及び第四のスリットにより画成される部位
Ｌ    第一のスリットの間隔寸法
Ｌ１  第四のスリットの間隔寸法
【図１】
0003185346.tif 000003
【図２】
0003185346.tif 000004
【図３】
0003185346.tif 000005
【図４】
0003185346.tif 000006
【図５】
0003185346.tif 000007
【図６】
0003185346.tif 000008
【図７】
0003185346.tif 000009
【図８】
0003185346.tif 000010
【図９】
0003185346.tif 000011
【手続補正書】
【提出日】平成25年6月10日(2013.6.10)
【手続補正１】
【補正対象書類名】実用新案登録請求の範囲
【補正対象項目名】全文
【補正方法】変更
【補正の内容】
【実用新案登録請求の範囲】
【請求項１】
バルカナイズドファイバー又はプラスチックにより形成され、粘着テープ巻装体に装着される粘着テープカッターであって、
全体略方形板状に形成されたテープカッター本体部と、上記テープカッター本体部の辺縁部に形成された刃部と、異なった幅寸法の複数の粘着テープ巻装体に適合させて装着しうる装着部とを備え、
上記装着部は、上記テープカッター本体部に形成されると共に、テープカッター本体部内方に設けられた複数のスリットにより画成される部位を折曲して形成されていることを特徴とする粘着テープカッター。
【請求項２】
バルカナイズドファイバーにより形成され、粘着テープ巻装体に装着される粘着テープカッターであって、
全体略方形板状に形成されたテープカッター本体部と、上記テープカッター本体部の辺縁部に形成された刃部と、異なった幅寸法の複数の粘着テープ巻装体に適合させて装着しうる装着部とを備え、
上記装着部は、上記テープカッター本体部に形成されると共に、テープカッター本体部内方に設けられた複数のスリットにより画成される部位を折曲して形成されていることを特徴とする粘着テープカッター。
【請求項３】
上記テープカッター本体部は平面略方形状に形成され、刃部辺部と、上記刃部辺部に隣接する一対の辺部と、上記刃部辺部に対向する対向辺部とを有し、
上記複数のスリットは、上記刃部辺部に直交すると共に上記一対の辺部の内方に設けられ、互いに所定間隔を置いて形成された一対の第一のスリットと、上記第一のスリットの反刃部側端部の間に形成された第二のスリットと、上記第二のスリットの中間部から上記対向辺部に至る第三のスリットとを有することを特徴とする請求項１又は２のいずれか１項に記載の粘着テープカッター。
【請求項４】
上記一対の第一のスリットの中間部には、夫々、第一のスリットから内方へ延びる第四のスリットが形成されていることを特徴とする請求項３記載の粘着テープカッター。
【請求項５】
上記第二のスリットには、中間部には上記刃部に向かって突出する折曲部が形成されていると共に、上記第三のスリットは、上記折曲部と対向辺部との間に形成されていることを特徴とする請求項３記載の粘着テープカッター。
【請求項６】
上記第四のスリットは、上記第一のスリットに対して直交して形成されていることを特徴とする請求項４記載の粘着テープカッター。
【請求項７】
上記第一のスリットの間隔寸法は、最も大径の幅寸法の粘着テープの幅寸法と略同一に形成されていると共に、第四のスリットの間隔寸法は、最も小径の幅寸法の粘着テープの幅寸法と略同一に形成されていることを特徴とする請求項６記載の粘着テープカッター。
【請求項８】
上記刃部は、上記テープカッター本体部の縁部両端部よりも内方に形成されていると共に、刃部の両端部には、上記刃部の刃の先端部よりも外方へ突出する膨出部が形成されていることを特徴とする請求項１又は２のいずれか１項に記載の粘着テープカッター。
【手続補正２】
【補正対象書類名】明細書
【補正対象項目名】全文
【補正方法】変更
【補正の内容】
【考案の詳細な説明】
【技術分野】
【０００１】
本考案は、粘着テープカッターの改良に関する。
【背景技術】
【０００２】
一般に、セロハンテープ等の粘着テープは巻き芯に巻装されて略リング状の粘着テープ巻装体として使用されているが、このような粘着テープ巻装体には粘着テープカッターが取り付けられている。また、粘着テープには、複数種類の幅寸法のもの（例えば、幅１２ｍｍ、１５ｍｍ、１８ｍｍ、２４ｍｍ等）が存在する。
【０００３】
このような粘着テープカッターにあっては、金属製の場合には、使用者の指を傷つける可能性もあり、また、廃棄する場合に分別する必要があり煩雑である等の事情から従来より、いわゆるハードファイバー又はバルカナイズドファイバーを利用した粘着テープカッターが使用されている（特許文献１及び特許文献２）。
【０００４】
しかしながら、上記特許文献１に開示された粘着テープカッターにあっては、幅寸法の調整は不可能であったことから、上記複数種類の幅寸法の粘着テープのためには複数種類の粘着テープカッターを作製しなければならず、複数種類の製造型が必要となり、製造コストが嵩む、という不具合があった。
【０００５】
また、上記特許文献２に開示された粘着テープカッターにあっては、細長板状に形成された本体の一端部に形成された挿入止部を挿入穴に挿通させて凸部を係止することにより幅寸法の調整は可能であるが、バルカナイズドファイバーは高い剛性を有することから、上記挿入止部を挿入穴に挿通させて長さ調節を行うことが非常に煩雑である、という不具合が存していた。
【特許文献１】実開平７−２４５８９号公報
【特許文献２】特開平７−２４６５８９号公報
【考案の開示】
【考案が解決しようとする課題】
【０００６】
本考案はこのような従来からの不具合を解決するためのものであって、その課題は、バルカナイズドファイバー等を使用した、複数種類の幅寸法の粘着テープ巻装体に容易に適合させることができ、製造コストを低減することができる粘着テープカッターを提供することにある。
【課題を解決するための手段】
【０００７】
上記課題達成のため請求項１記載の考案にあっては、バルカナイズドファイバー又はプラスチックにより形成され、粘着テープ巻装体に装着される粘着テープカッターであって、全体略方形板状に形成されたテープカッター本体部と、上記テープカッター本体部の辺縁部に形成された刃部と、異なった幅寸法の複数の粘着テープ巻装体に適合させて装着しうる装着部とを備え、上記装着部は、上記テープカッター本体部に形成されると共に、テープカッター本体部内方に設けられた複数のスリットにより画成される部位を折曲して形成されていることを特徴とする。
ここで、「プラスチック」としては、例えば、ポリプロピレン、ポリエステル、ナイロン、ポリ塩化ビニル等が該当する。
従って、請求項１記載の考案にあっては、バルカナイズドファイバー又はプラスチックにより形成され、異なった幅寸法の複数の粘着テープ巻装体に対して単一の粘着テープカッターを適用して使用することができる。
また、上記装着部は、テープカッター本体部内方に設けられた複数のスリットにより画成される部位を折曲して形成されることから、バルカナイズドファイバー又はプラスチックの基板を打ち抜くことにより形成したテープカッター本体部に複数のスリットを形成し、複数のスリットにより画成される部位を折り曲げ起こすことにより上記装着部を形成することができる。
請求項２記載の考案に係る考案にあっては、バルカナイズドファイバーにより形成され、粘着テープ巻装体に装着される粘着テープカッターであって、全体略方形板状に形成されたテープカッター本体部と、上記テープカッター本体部の辺縁部に形成された刃部と、異なった幅寸法の複数の粘着テープ巻装体に適合させて装着しうる装着部とを備え、上記装着部は、上記テープカッター本体部に形成されると共に、テープカッター本体部内方に設けられた複数のスリットにより画成される部位を折曲して形成されていることを特徴とする。
従って、請求項２記載の考案にあっては、バルカナイズドファイバーにより形成され、異なった幅寸法の複数の粘着テープ巻装体に対して単一の粘着テープカッターを適用して使用することができる。
また、上記装着部は、テープカッター本体部内方に設けられた複数のスリットにより画成される部位を折曲して形成されることから、バルカナイズドファイバー又はプラスチックの基板を打ち抜くことにより形成したテープカッター本体部に複数のスリットを形成し、複数のスリットにより画成される部位を折り曲げ起こすことにより上記装着部を形成することができる。
【０００８】
請求項３記載の考案にあっては、上記テープカッター本体部は平面略方形状に形成され、刃部辺部と、上記刃部辺部に隣接する一対の辺部と、上記刃部辺部に対向する対向辺部とを有し、上記複数のスリットは、上記刃部辺部に直交すると共に上記一対の辺部の内方に設けられ、互いに所定間隔を置いて形成された一対の第一のスリットと、上記第一のスリットの反刃部側端部の間に形成された第二のスリットと、上記第二のスリットの中間部から上記対向辺部に至る第三のスリットとを有することを特徴とする。
従って、請求項３記載の考案にあっては、上記一対の第一のスリットと上記第二のスリットとにより画成される部位を折り曲げ起こすことにより、粘着テープ巻装体の収納空隙部を形成することができる。また、上記第一のスリット、第二のスリット及び上記第三のスリットにより画成される部位により粘着テープ巻装体の保持部を形成することができる。
【０００９】
請求項４記載の考案にあっては、上記一対の第一のスリットの中間部には、夫々、第一のスリットから内方へ延びる第四のスリットが形成されていることを特徴とする。
従って、請求項４記載の考案にあっては、上記一対の第一のスリット、第二のスリット及び第四のスリットにより画成される部位により粘着テープ巻装体の把持部を形成することができる。
【００１０】
請求項５記載の考案にあっては、  上記第二のスリットには、中間部には上記刃部に向かって突出する折曲部が形成されていると共に、上記第三のスリットは、上記折曲部と対向辺部との間に形成されていることを特徴とする。
従って、請求項５記載の考案にあっては、上記粘着テープ巻装体の把持部は先端に凹部を有するように形成されると共に、上記粘着テープ巻装体の保持部は先端部の幅寸法が大きく形成される。
【００１１】
請求項６記載の考案にあっては、上記第四のスリットは、上記第一のスリットに対して直交して形成されていることを特徴とする。
【００１２】
請求項７記載の考案にあっては、上記第一のスリットの間隔寸法は、最も大径の幅寸法の粘着テープの幅寸法と略同一に形成されていると共に、第四のスリットの間隔寸法は、最も小径の幅寸法の粘着テープの幅寸法と略同一に形成されていることを特徴とする。
【００１３】
請求項８記載の考案にあっては、上記刃部は、上記テープカッター本体部の縁部両端部よりも内方に形成されていると共に、刃部の両端部には、上記刃部の刃の先端部よりも外方へ突出する膨出部が形成されていることを特徴とする。
【考案の効果】
【００１４】
請求項１〜８記載の考案にあっては、異なった幅寸法の複数の粘着テープ巻装体に対して単一の粘着テープカッターを適用することができることから、複数種類の幅寸法の粘着テープ巻装体に合わせて複数種類の粘着テープカッターを作成する必要がなく、複数種類の粘着テープカッターを製作するために必要な複数種類の製造型が不要となることから、製造コストを低減することができる。
【００１５】
また、従来の金属製の粘着テープカッターとは異なり、バルカナイズドファイバー又はプラスチックを素材として使用していることから、刃部も粘着テープは充分に切断でき、仮に、指が触れた場合であっても、即、皮膚が切れてしまうほどの尖鋭性はないことから安全であり、子供を含め、年齢に関わらず安心して使用することができる。
また、一般に、広くコンビニエンスショップで販売されている内径１インチの小型の粘着テープ巻装体であっても装着することができ、従来、金属製の粘着テープカッターが添付されていたが、本考案に係る粘着テープカッターにより製造コストを低減して提供することができ、かつ、使用者は安全に使用することができる。
【００１６】
また、紙製のマスキングテープであっても、本考案に係るバルカナイズドファイバー又はプラスチックにより形成された刃部であれば切断することができるため、広く、マスキングテープ用の粘着テープカッターとして使用することができ、安全であってかつ、金属製の粘着テープカッターに比して製造コストを低減することができる。
【００１７】
また、請求項１記載の考案にあっては、本考案に係る粘着テープカッターの素材としてプラスチックを含むことから、バルカナイズドファイバーのみならず、広く、様々なプラスチック素材を利用して、型成型によりテープ粘着テープカッターを容易かつ迅速に作成することができる。
請求項２記載の考案にあっては、製造する際には、バルカナイズドファイバーの基板を打ち抜くことにより刃部及びテープカッター本体部を形成することができ、テープカッター本体部に形成された装着部により粘着テープ巻装体に装着することができることから、容易に製造することができる粘着テープ巻装体を提供することができる。
【００１８】
請求項３〜６記載の考案にあっては、バルカナイズドファイバーの基板を厚さ方向に切り抜いてスリットを形成し、上記スリットにより画成される部位を折曲して装着部の一般面上に起こすことにより、容易に粘着テープ巻装体の収納空隙部、保持部及び把持部を形成することができ、使用者が迅速に粘着テープ巻装体に装着することができる粘着テープカッターを提供することができる。
【００１９】
請求項７記載の考案にあっては、上記第一のスリットの間隔寸法は、最も大径の幅寸法の粘着テープの幅寸法と略同一に形成されていると共に、第四のスリットの間隔寸法は、最も小径の幅寸法の粘着テープの幅寸法と略同一に形成されていることから、上記第一のスリット、第二のスリット及び第三のスリットにより画成される部位を折り曲げて保持部を形成した場合には、上記保持部により最大幅の幅寸法の粘着テープ巻装体に保持させた状態で装着できる。
さらに、粘着テープ巻装体の幅寸法に合わせて把持部を適宜の幅寸法に折曲することにより、より細幅の幅寸法の粘着テープ巻装体に合わせた把持部を容易に形成することができる。その結果、粘着テープ巻装体の幅寸法に関わらず、確実に固定して使用することができる粘着テープカッターを提供することができる。
【００２０】
請求項８記載の考案にあっては、上記刃部は、上記テープカッター本体部の縁部両端部よりも内方に形成されていると共に、刃部の両端部には、上記刃部の刃の先端部よりも外方へ突出する膨出部が形成されていることから、使用者の指が刃部に直接触れにくく、より安全性を向上させた粘着テープカッターを提供することができる。
【図面の簡単な説明】
【００２１】
【図１】本考案に係る粘着テープカッターの一実施の形態を示す平面図である。
【図２】本考案に係る粘着テープカッターの刃部及び刃部辺部の端部の形状を示す部分平面図である。
【図３】本考案に係る粘着テープカッターの粘着テープ巻装体への装着状態を示し、テープ幅が最大幅寸法の粘着テープ巻装体へ装着した状態を示す斜視図である。
【図４】本考案に係る粘着テープカッターの粘着テープ巻装体への装着状態を示し、テープ幅が最大幅寸法の粘着テープ巻装体へ装着した状態を示す平面図である。
【図５】本考案に係る粘着テープカッターの粘着テープ巻装体への装着状態を示し、テープ幅がより細径の粘着テープ巻装体へ装着した状態を示す平面図である。
【図６】本考案に係る粘着テープカッターを粘着テープ巻装体へ装着し、粘着テープの非粘着面側から切断する状態を示す側面図である。
【図７】本考案に係る粘着テープカッターを粘着テープ巻装体へ装着し、粘着テープの非粘着面側から切断する状態を示す平面図である。
【図８】本考案に係る粘着テープカッターを粘着テープ巻装体へ装着し、粘着テープの粘着面側から切断する状態を示す側面図である。
【図９】本考案に係る粘着テープカッターを粘着テープ巻装体へ装着し、粘着テープの粘着面側から切断する状態を示す平面図である。
【考案を実施するための最良の形態】
【００２２】
以下、添付図面に示す実施の形態に基づき、本考案を詳細に説明する。
図１に示すように、本実施の形態に係る粘着テープカッター１０は、バルカナイズドファイバーにより形成され、粘着テープ巻装体に装着され、異なった幅寸法の複数の粘着テープ巻装体に適合させて装着しうる装着部１１を有している。
【００２３】
本実施の形態にあっては、上記テープカッター本体部１２は全体略正方形板状に形成され、上記テープカッター本体部１２の辺縁部に形成された刃部１３を備えており、上記装着部１１は上記テープカッター本体部１２に形成されている。
【００２４】
上記装着部１１は、テープカッター本体部１２内方に設けられた複数のスリット１４により画成される部位を折曲して形成されている。
テープカッター本体部１２は平面略方形状に形成され、刃部辺部１５と、上記刃部辺部１５に隣接する一対の辺部１６、１７と、上記刃部辺部１５に対向する対向辺部１８とを有している。
【００２５】
上記複数のスリット１４は、上記刃部辺部１５に直交すると共に上記一対の辺部１６、１７の内方に設けられ、互いに所定間隔を置いて形成された一対の第一のスリット１４ａ、１４ａと、上記第一のスリット１４ａ、１４ａの反刃部側端部の間に形成された第二のスリット１４ｂと、上記第二のスリット１４ｂの中間部から上記対向辺部１８に至る第三のスリット１４Ｃとを有している。
【００２６】
上記第一のスリット１４ａ、１４ａと第二のスリット１４ｂとは、互いに直交し、全体として刃部１３側へ向かって配置された略コ字状に形成されている。
上記第二のスリット１４ｂには、中間部に上記刃部１３に向かって突出する折曲部１９が形成されている。即ち、第二のスリット１４ｂは、両端部においては第一のスリット１４ａ、１４ａに直交するように接合されているが、中間部においては、折曲部１９が形成され、全体として屈折して形成され、折曲部１９の中間部には頂点部２０が形成されている。
【００２７】
上記第三のスリット１４Ｃは、上記折曲部１９の頂点部２０と対向辺部１８との間に、対向辺部１８に対して直交して形成されている。
上記一対の第一のスリット１４ａ、１４ａの中間部には、夫々、第一のスリット１４ａ、１４ａから内方へ直交して所定間隔分延びる二本の第四のスリット１４ｄ、１４ｄが形成されている。
【００２８】
その結果、第一のスリット１４ａ、１４ａ及び第二のスリット１４ｂとの内方に画成される部位Ａをテープカッター本体部１２の一般面２１上方へ指で折曲して起こすことにより形成される空隙により平面方形状の粘着テープ巻装体２２の収納空隙を形成することができる。
【００２９】
また、第二のスリット１４ｂ及び第三のスリット１４Ｃにより画成される部位により、粘着テープ巻装体２２へ装着した場合に、粘着テープ巻装体２２内において粘着テープ巻装体２２に係止する一対の保持部２３、２３が形成される。
また、上記一対の第一スリット１４ａ、１４ａ及び第四のスリット１４ｄ、１４ｄとにより形成される部位Ｂにより粘着テープ巻装体２２へ装着した際の載置部２４が形成される。さらに、上記一対の第一のスリット１４ａ、１４ａ、第二のスリット１４ｂ及び第四のスリット１４ｄ、１４ｄにより画成される部位Ｃにより粘着テープ巻装体２２の装着した場合の把持部２５が形成される。
【００３０】
本実施の形態にあっては、上記一対の第一のスリット１４ａ、１４ａの間隔寸法Ｌは２５ｍｍであって、最大幅の粘着テープ巻装体の幅寸法（２４ｍｍ）と略同一に形成されている。また、上記第四のスリット１４ｄ、１４ｅの間の間隔寸法Ｌ１は、１４ｍｍであって、最少幅の粘着テープ巻装体２２の幅寸法１２ｍｍよりも僅かに大きく形成されている。また、刃部１３の長さ寸法は２６ｍｍに形成され、同様に最大幅の粘着テープ巻装体の幅寸法（２４ｍｍ）よりも僅かに大きく形成されている。
【００３１】
上記刃部１３は、上記テープカッター本体部１２の縁部両端部２６、２６よりも内方に形成されていると共に、図１及び図２に示すように、刃部１３の両端部には、上記刃部１３の刃の先端部よりも外方へ突出する膨出部２７，２７が形成されている。
【００３２】
以下、本実施の形態に係る粘着テープカッター１０の使用方法について説明する。
本実施の形態に係る粘着テープカッター１０を粘着テープ巻装体２２に装着する場合には、先ず、第一のスリット１４ａ、１４ａ及び第二のスリット１４ｂにより画成される部位Ａをテープカッター本体部の一般面２１の上方へ折り曲げる。
【００３３】
同時に、第一のスリット１４ａ、１４ａと辺部１６、１７との間に形成される部位２８、２９を第一のスリット部１４ａ、１４ａの先端部３０においてテープカッター本体部の一般面２１の下方へ折り曲げる。この場合の折り曲げ角度は、粘着テープ巻装体２２の厚さ寸法によるが、本実施の形態にあっては略直角に折り曲げている。
これにより、図１、図３及び図４に示すように、粘着テープ巻装体２２に装着するにあたって、粘着テープ巻装体２２を内部に収納する収納空隙が形成され、また、保持部２３、２３が形成される。
【００３４】
上記保持部２３、２３は、第三のスリット１４ｂにより分割されていることから、保持部２３，２３の先端部を厚さ方向にずらすことにより、保持部２３、２３の間に空隙を形成し、粘着テープ巻装体２２の厚さ方向側面部から粘着テープカッター１０を滑り込ませ、粘着テープカッター１０の上記収納空隙内に粘着テープ巻装体２２を配置させるようにして、粘着テープカッター１０を粘着テープ巻装体２２に装着する。
この場合、第一のスリット１４ａ、１４ａ及び第四のスリット１４ｄ、１４ｄにより画成される全体略長方形状の部位Ｂは、粘着テープ巻装体２２の表面部上に配置される載置部２４として機能する。
【００３５】
従って、粘着テープ巻装体２２に粘着テープカッター１０が装着された場合には、図３に示すように、粘着テープ本体３１上に載置部２４が当接すると共に、粘着テープ本体３１の裏面側には保持部２３、２３が係止し、刃部１３は粘着テープ本体３１上において粘着テープ本体３１の周面部３３に沿って、粘着テープ３２の長さ方向に直交して配置されることから、この状態で粘着テープ３２を剥がして刃部１３に圧接させて捻り切ることにより、粘着テープ３２を所望の長さ寸法に切断することができる。
【００３６】
この場合、第二のスリット１４ｂは、中間部において折曲部１９が形成され、全体として屈折して形成され折曲部１９の中間部には頂点部２０が形成されており、中間部において第三のスリット１４ｃが対向辺部１８との間に形成されていることから、一対の保持部２３、２３は対向端部２３ａ、２３ａの幅寸法が大きく形成されており、保持部２３、２３は粘着テープ本体３１の裏面側において粘着テープ本体３１に当接しやすい形状となっている。
その結果、この保持部２３、２３の形状により粘着テープカッター１０は確実に粘着テープ巻装体２２に保持させることができる。
【００３７】
また、図１及び図２に示すように、刃部１３の両端部には、上記刃部１３の刃の先端部よりも外方へ突出する膨出部２７，２７が形成されていることから、刃部１３がテープカッター本体部１２の内方に配置されていると共に、上記膨出部２７、２７の存在により、使用者の指は刃部１３に直接に触れにくく、より安全なテープの切断作業を行うことができる。
【００３８】
図３及び図４は、最大幅寸法（２４ｍｍ）の粘着テープ巻装体２２ａに装着する場合を示している。
一方、より細径の粘着テープ巻装体２２ｂに装着する場合には、図５に示すように、適宜、粘着テープ巻装体２２ｂの幅寸法に合わせて、第一のスリット１４ａ、第二のスリット１４ｂ及び第四のスリット１４ｄにより画成される部位Ｃにより形成される把持部２５の図中左右方向両端部を適宜の長さに下方へ折り曲げ、一対の把持片部２５ａ、２５ａを形成する。
【００３９】
従って、第一のスリット１４ａ、１４ａの間の間隔寸法Ｌは最大幅（２４ｍｍ）の粘着テープ巻装体２２ａに合わせて設定されているが、より細幅の粘着テープ巻装体２２ｂに装着する場合には、適宜、幅寸法に合わせた把持片部２５ａ、２５ａを形成し、当該把持片部２５ａ、２５ａが粘着テープ巻装体２２ａの粘着テープ本体３１の両側部において粘着テープ本体３１を把持する。
【００４０】
その結果、粘着テープ巻装体２２ｂが細幅の場合であっても、粘着テープ巻装体２２ｂに確実に固定されることから、粘着テープ３２の切断作業に差し支えることはない。
また、図６、図７、図８及び図９に示すように、本実施の形態に係る粘着テープカッター１０にあっては、粘着テープ３２の粘着面３２ａ（裏面）及び非粘着面３２ｂ（表面）のいずれであっても刃部１３に圧接することにより切断することができる。
【００４１】
切断にあたっては、図６及び図８中に矢印で示すように、まず、指で載置部２４を押さえて、粘着テープカッター１０を粘着テープ巻装体２２に固定し、図７及び図９に示すように、所定の長さ寸法に引き出した粘着テープ３２を刃部１６に圧接させて状態で捻じることにより切断する。
この場合、図８及び図９に示すように、粘着テープ３２の粘着面３２ａ側を刃部１３に圧接させて切断する場合には、粘着面３２ａが刃部１３に接着することから、次回の利用の際に、粘着テープ３２の先端部を確認しやすい。
なお、本実施の形態にあっては、テープカッター本体部１２が平面略方形状に形成された場合を例に説明したが、上記実施の形態に限定されない。
また、上記実施の形態にあっては、本考案に係る粘着テープカッターをバルカナイズドファイバーにより形成した場合を例に説明したが、上記実施の形態に限定されず、プラスチックにより形成してもよい。
プラスチックとしては、例えば、ポリプロピレン、ポリエステル、ナイロン、ポリ塩化ビニル等が該当する。プラスチックによりテープ粘着テープカッターを形成した場合には、型成型により、容易かつ迅速にテープ粘着テープカッターを作成することができる。
【産業上の利用可能性】
【００４２】
本考案に係る粘着テープカッターは広く、粘着テープ巻装体に装着して粘着テープの切断に使用することができるため、産業上の利用可能性を有している。
【符号の説明】
【００４３】
１０  粘着テープカッター
１１  装着部
１２  テープカッター本体部
１３  刃部
１４  スリット
１４ａ  第一のスリット
１４ｂ  第二のスリット
１４ｃ  第三のスリット
１４ｄ  第四のスリット
１５  刃部辺部
１６  辺部
１７  辺部
１８  対向辺部
１９  折曲部
２０  頂点部
２１  テープカッター本体部の一般面
２２  粘着テープ巻装体
２２ａ  最大幅の粘着テープ
２２ｂ  細幅の粘着テープ
２３  保持部
２３ａ  対向端部
２４  載置部
２５  把持部 
２５ａ  把持片部
２６  縁部両端部
２７  膨出部
２８  部位
２９  部位
３０  先端部
３１  粘着テープ本体
３２  粘着テープ
３２ａ  粘着面
３２ｂ  非粘着面
３３  周面部
Ａ  第一のスリット及び第二のスリットの内方に画成される部位
Ｂ  第一のスリット及び第四のスリットにより画成される部位
Ｃ  第一のスリット、第二のスリット及び第四のスリットにより画成される部位
Ｌ    第一のスリットの間隔寸法
Ｌ１  第四のスリットの間隔寸法